(57)【特許請求の範囲】
【請求項１】
空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、前記水供給手段が該金属製斜行ハニカムの上方に配置されたことを特徴とする空気清浄装置。
【請求項２】
空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、該金属製斜行ハニカムの上方には前記水供給手段が配置され、該水供給手段で供給された水により前記金属製斜行ハニカム内で前記空気を加湿すると共に、得られる過剰な水分に化学汚染物質の少なくとも一部を取り込むことで、空気中から化学汚染物質を除去することを特徴とする空気清浄装置。
【請求項３】
空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、該金属製斜行ハニカムの上方には前記水供給手段が配置され、該水供給手段で供給された水により前記金属製斜行ハニカム内で前記空気を除湿すると共に、得られる凝縮水に化学汚染物質の少なくとも一部を取り込むことで、空気中から化学汚染物質を除去することを特徴とする空気清浄装置。
【請求項４】
加湿部と凝縮部とを有する空気清浄装置であって、加湿部と凝縮部の各々が、空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、該金属製斜行ハニカムの上方には前記水供給手段が配置され、前記加湿部では水供給手段で供給された水により前記金属製斜行ハニカム内で前記空気を加湿すると共に、得られる過剰な水分に化学汚染物質の少なくとも一部を取り込むことで、空気中から化学汚染物質を除去し、前記凝縮部では水供給手段で供給された水により前記金属製斜行ハニカム内で空気を除湿すると共に、得られる凝縮水に化学汚染物質の少なくとも一部を取り込むことで、空気中から化学汚染物質を除去することを特徴とする空気清浄装置。
【発明の詳細な説明】
【０００１】
【発明の属する技術分野】
本発明は、空気中の化学汚染物質を水で洗浄して清浄にする空気清浄装置に関するものである。さらに詳しくは、半導体や液晶デバイスの製造工場、製薬工場やライフサイエンス関連設備等のクリーンルームに供給する空気の空気清浄装置に関するものである。
【０００２】
【従来の技術】
半導体や液晶デバイスの製造工場、製薬工場やライフサイエンス関連設備等では、製品歩留りを向上し、或いは品質確保するために、従来の微粒子状の汚染物質に加え、ガス状化学汚染物質をも除去することが望まれている。このような化学汚染物質としては、例えば、ナトリウム、カリウム、カルシウム、ホウ素等の無機質の金属元素、フッ素イオン、塩化物イオン、硝酸イオン、亜硝酸イオン、硫酸イオン、亜硫酸イオン等のアニオン類や、アンモニウムイオン等のカチオン類等が挙げられる。従来の微粒子状の汚染物質はＵＬＰＡフィルター等の集塵フィルターで除去できるが、これらの化学汚染物質はＵＬＰＡフィルター等では除去できない。
【０００３】
このため、空気中の化学汚染物質は、従来より、いわゆる水シャワーと呼ばれる水滴のシャワーを用いる装置や、化学成分を吸着除去できるケミカルフィルターを用いる装置により除去されている。ここで、前者の水シャワーを用いる装置は、空気を加湿する加湿手段と空気中の水分を凝縮除去する凝縮手段とを有し、化学汚染物質を含む空気を水滴等の噴霧等の加湿手段により加湿すると共に、過剰な水分を除去し、次いで、この加湿された空気を冷却器等の凝縮手段により加湿手段で除去しきれずに、空気中に残存する化学汚染物質を凝縮水と共に除去する装置である。
【０００４】
【発明が解決しようとする課題】
しかしながら、前者の水シャワーを用いた装置は、被処理空気と水との接触効率が悪いために化学汚染物質の除去効率が低い。このため、水シャワーを用いた装置全体の奥行きは数ｍ程度も必要になり、広大な設置スペースを要すると共に、圧力損失も大きくなるという問題があった。また、水シャワーの処理水としては、通常高価な脱イオン水（ＤＩＷ）が用いられているが、処理水量も多く必要となるためコストが高くなるという問題があった。さらに、低コスト化のためにＤＩＷは通常、循環使用されているが、一旦吸収した化学汚染物質の再気散が生じ易いという問題があった。一方、後者のケミカルフィルターを用いた装置は、ケミカルフィルター自体が高価であり、しかも吸着能力に寿命があるため、コストが高くなるという問題があった。
【０００５】
従って、本発明の目的は、空気中の化学汚染物質の除去効率が高く、処理装置がコンパクトで、圧力損失が小さく、低コストな空気処理装置を提供することにある。
【０００６】
かかる実情において、本発明者らは鋭意検討を行った結果、加湿手段又は凝縮手段の一方又は両方に、金属製斜行ハニカムを用い、該金属製斜行ハニカムの前面開口部から空気を導入すると共に、上面開口部から水を供給すれば、金属製斜行ハニカムに導入される空気と供給される水とが効率よく接触して、加湿手段においては効率よく空気中の湿度を上昇させ、且つ、化学汚染物質を効率よく除去することができる。また、凝縮手段においては、加湿手段から排出された空気中に残存する化学汚染物質が凝縮水中に効率よく取り込まれて除去されることを見出し、本発明を完成するに至った。
【０００７】
【課題を解決するための手段】
本発明の請求項１記載の発明は、空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、前記水供給手段が該金属製斜行ハニカムの上方に配置されたことを特徴としている。
【０００８】
本発明の請求項２記載の発明は、空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、該金属製斜行ハニカムの上方には前記水供給手段が配置され、該水供給手段で供給された水により前記金属製斜行ハニカム内で前記空気を加湿すると共に、得られる過剰な水分に化学汚染物質の少なくとも一部を取り込むことで、空気中から化学汚染物質を除去することを特徴としている。
【０００９】
本発明の請求項３記載の発明は、空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、該金属製斜行ハニカムの上方には前記水供給手段が配置され、該水供給手段で供給された水により前記金属製斜行ハニカム内で前記空気を除湿すると共に、得られる凝縮水に化学汚染物質の少なくとも一部を取り込むことで、空気中から化学汚染物質を除去することを特徴としている。
【００１０】
本発明の請求項４記載の発明は、加湿部と凝縮部とを有する空気清浄装置であって、加湿部と凝縮部の各々が、空気導入口と、水供給手段と、前後両面と上下両面とが開口した金属製斜行ハニカムとを有しており、前記金属製斜行ハニカムは、一方向に向かって伝播する波形形状を有する厚さ１０〜２００μｍの金属製波形シートが複数積層されてハニカム形状を呈し、積層される金属製波形シートは、波の伝播方向が一枚おきに斜めに交差するように積層され、且つ、二層おきのシートの波の伝播方向がそれぞれ略同一方向になるように配置され、また、金属製波形シートに平行な面に対して垂直な４面で切断して直方体を形成し、該切断面が金属製波形シートの波の伝播方向と平行でなく、且つ、垂直でもない厚さ１００〜１０００ｍｍの金属製斜行ハニカムであって、その前面が空気導入口を向き、且つ、導入された空気が内部を通過するように前記金属製斜行ハニカムを配置し、該金属製斜行ハニカムの上方には前記水供給手段が配置され、前記加湿部では水供給手段で供給された水により前記金属製斜行ハニカム内で前記空気を加湿すると共に、得られる過剰な水分に化学汚染物質の少なくとも一部を取り込むことで、空気中から化学汚染物質を除去し、前記凝縮部では水供給手段で供給された水により前記金属製斜行ハニカム内で空気を除湿すると共に、得られる凝縮水に化学汚染物質の少なくとも一部を取り込むことで、空気中から化学汚染物質を除去することを特徴としている。
【００１１】
【発明の実施の形態】
本発明に係る空気清浄装置は、加湿部と凝縮部とを有するものであり、加湿部中の加湿手段又は凝縮部中の凝縮手段の一方又は両方に金属製斜行ハニカムが用いられるものである。本発明に係る空気清浄装置の実施形態は、金属製斜行ハニカムの用い方により大きく４つに分類される。具体的には、金属製斜行ハニカムが加湿手段及び凝縮手段の両方に用いられる第１の実施形態、金属製斜行ハニカムが加湿手段のみに用いられる第２の実施形態、金属製斜行ハニカムが凝縮手段のみに用いられる第３の実施形態及び１台の金属製斜行ハニカムで加湿と凝縮とを共に行う第４の実施形態が挙げられる。
【００１２】
まず、第１の実施形態について図１を参照して説明する。図１は、第１の実施形態に係る空気清浄装置の概要を模式的に示す図であり、１は金属製斜行ハニカム、５はブロアー、１０は加湿部、１１は第１空気導入口、１２は第１水供給手段、１３は加湿手段、１４は第１空気排出口、１５は第１水排出手段、１６は第１循環ポンプ、２０は凝縮部、２１は第２空気導入口、２２は第２水供給手段、２３は凝縮手段、２４は第２空気排出口、２５は第２水排出手段、２６は第２循環ポンプ、３０は温度及び湿度の調整手段、３１はＵＬＰＡフィルター、３２は加湿手段循環水溜め部、３３は凝縮手段循環水溜め部、４０は空気清浄装置を示す。
【００１３】
本発明において、加湿部１０は、第１空気導入口１１、第１水供給手段１２、第１空気導入口１１から導入された空気を第１水供給手段１２で供給された水により加湿する加湿手段１３、加湿された空気を排出する第１空気排出口１４及び加湿手段循環水溜め部３２に溜まった系内の水を系外に排出する第１水排出手段１５を備えるものである。
【００１４】
加湿部１０では、被処理空気が第１空気導入口１１から導入されると共に、第１空気排出口１４から排出され、一方、水は第１水供給手段１２で加湿手段１３に供給されると共に第１水排出手段１５から排出される。この際、加湿部１０中の加湿手段１３において、被処理空気と水が接触するようになっており、これにより加湿部１０系内の被処理空気の湿度が高くなるようになっている。加湿部１０は、このように横成されることにより、被処理空気を加湿すると共に、被処理空気中に含まれる化学汚染物質の一部を該余分な水分中に取り込んで除去する作用を示す。
【００１５】
本発明において、凝縮部２０は、第１空気排出口１１に連設される第２空気導入口２１、第２水供給手段２２、第２空気導入口２１より導入された空気中の水分を第２水供給手段２２で供給された水により凝縮する凝縮手段２３、該凝縮後の空気を排出する第２空気排出口２４及び凝縮手段循環水溜め部３３に溜まった系内の水を系外に排出する第２水排出手段２５を備えるものである。
【００１６】
凝縮部２０では、被処理空気が第２空気導入口２１から導入されると共に、第２空気排出口２４から排出され、一方、水は第２水供給手段２２で凝縮手段２３に供給されると共に、第２水排出手段２５から排出される。この際、凝縮部２０中の凝縮手段２３において、被処理空気と水が接触するようになっており、これにより凝縮部２０系内の被処理空気の湿度が低くなるようになっている。凝縮部２０は、このように構成されることにより、被処理空気を所定の湿度まで除湿して除湿の際に生じた凝縮水を排出すると共に、加湿部１０で除去されずに被処理空気中に残存する化学汚染物質を凝縮水に可能な限り取り込んで除去する。
【００１７】
本発明において、化学汚染物質とは、高性能（ＵＬＰＡ）フィルターの編み目を通過するような微細な化学物質を意味し、例えば、ナトリウム、カリウム、カルシウム、ホウ素等の無機質の金属元素、フッ素イオン、塩化物イオン、硝酸イオン、亜硝酸イオン、硫酸イオン、亜硫酸イオン等のアニオン類や、アンモニウムイオン等のカチオン類等である。
【００１８】
第１の実施形態は、加湿手段１３及び凝縮手段２３として金属製斜行ハニカム１が用いられる。当該金属製斜行ハニカム１を図２を参照して説明する。金属製斜行ハニカム１は、一方向に向かって伝播する波形形状を有する波形シート２，３（以下、「コルゲート状シート」ともいう。）が複数積層されてハニカム形状を呈するものであって、積層されるコルゲート状シート２，３は、波の伝播方向が一枚おきに斜めに交差するように積層され、且つ、二層おきのシートの波の伝播方向がそれぞれ略同一方向になるように配置されたハニカム状体である。
【００１９】
金属製斜行ハニカム１は、コルゲート状シート２，３に平行な面に対して垂直な４面１０１〜１０４で切断して直方体を形成し、該切断面がコルゲート状シート２，３の波の伝播方向と平行でなく、且つ、垂直でもないようにした場合、該直方体を切断面の１つ１０４を下面にし、且つ、コルゲート状シート２，３の最外層１０５，１０６をそれぞれ左右面にして載置すると、切断面である前後両面１０２，１０３及び上下両面１０１，１０４の４面は全てハニカムセルが開口し、左右面１０５，１０６はコルゲート状シート２，３で閉じられた構造を有する。すなわち、金属製斜行ハニカム１は、前後両面１０２，１０３と、上下両面１０１，１０４とが開口する構造を有するものである。また、該切断面の、例えば前後両面１０２，１０３は、斜め上方向に延設されるセルと斜め下方向に延設されるセルとが一層おきに形成される。斜め方向に延設されるセルの前後両面からみた場合の空気の流入、流出方向（水平方向）に対する斜め角度（図中、符号Ｘ）は、通常１５〜４５度、好ましくは２５〜３５度の範囲内にする。上記斜め角度が該範囲内にあると、流下速度が適度の範囲となり接触効率が向上するため好ましい。
【００２０】
上記金属製斜行ハニカム１において、積層されたコルゲート状シート２，３の一層おきや波の伝播方向が互いに交差する角度（図中、符号Ｙ）は、通常３０〜９０度、好ましくは５０〜７０度である。このようにコルゲート状シート２，３を上記角度範囲内で交差するように積層すると、上記のように斜め角度（Ｘ）を上記の１５〜４５度とした場合に、被処理空気及び水がハニカムセルと実質的に接触する面積が大きくなるため、被処理空気と水との接触、すなわち、加湿手段においては被処理空気の加湿の効率、また、凝縮手段においては被処理空気中の水分の凝縮による除湿の効率が高くなるため好ましい。後述するように、本発明において、被処理空気は金属製斜行ハニカム１の前面開口部１０３から導入され、また、水面開口部１０１から第１水供給手段１２、例えば、給水ダクト４により供給され金属製斜行ハニカム１のコルゲート状シート２，３に浸透し、且つ、該コルゲート状シート２，３の極く表面をゆっくりと下方に流下するため、被処理空気の通気方向と浸透壁面の水の流下方向とが適度の角度を保持し、接触効率が高くなる。
【００２１】
本発明で用いられ金属製斜行ハニカム１のセルの高さ、すなわち、波形の山と谷間の寸法を示すセルの山高寸法は、通常２〜８ｍｍ、好ましくは３〜５ｍｍである。セルの山高寸法が２ｍｍ未満であると製造が困難であり、圧力損失が大きくなるため好ましくない。また、セルの山高寸法が８ｍｍを越えると、化学汚染物質の除去効率が低下するため好ましくない。
【００２２】
金属製斜行ハニカムのコルゲート状シートの状態におけるセルの幅、すなわち、セルピッチは、通常２．５〜１２．０ｍｍ、好ましくは５〜１０．０ｍｍである。また、金属製斜行ハニカムの前面開口部と後面開口部との間の寸法、すなわち、金属製斜行ハニカム１の厚さ（ｔ）は、通常１００〜１０００ｍｍ、好ましくは２００〜８００ｍｍである。該厚さが１００ｍｍ未満であると、ＮＯ2-等の除去効率が低下するため好ましくなく、該厚さが１０００ｍｍを越えると化学汚染物質の除去効率がこれ以上向上せず、圧力損失が大きくなるため好ましくない。梅雨時のように湿度が高い時期に、１台のハニカムで化学汚染物質の除去と除湿を行う場合には、除湿を十分に行うために８００ｍｍ程度の厚いものを使用した方がよい。なお、本発明において、金属製斜行ハニカムの厚さは、斜行ハニカムを複数枚使用する場合には、この合計の厚さが上記範囲内のものであればよい。例えば、厚さが３００ｍｍの金属製斜行ハニカムを用いる場合には、厚さが１００ｍｍの金属製斜行ハニカムを３枚厚さ方向に重ねて合計の厚さを３００ｍｍとしてもよい。また、従来加湿手段として用いられていた水シャワーは、装置の奥行きが数ｍ必要であるが、加湿手段として金属製斜行ハニカムを用いると、金属製斜行ハニカム自体の厚さはせいぜい４００ｍｍ程度であるため、装置の設置スペースを大幅に小さくすることができる。このような大幅な省スペース化は半導体製造工場等の合理化の要求を満足する。さらに、水を循環するポンプの能力は、従来の水シャワーのものと比較すると格段に少なくて済み、大幅な省エネルギー化をも図ることができる。
【００２３】
本発明で使用される金属製斜行ハニカムの材質は、強度、化学的安定性等が金属ハニカム担体に要求される条件を満たすものでものであればよく、特に限定されないが、例えば、ステンレス、アルミニウム、銅等が挙げられる。
厚さは１０〜２００μｍで、１０μｍより薄いと、強度や加工性が悪く、２００μｍを超えると重く、しかも圧力損失が大きいという問題がある。好ましい厚さは３０〜１００μｍである。
【００２４】
本発明で用いられるコルゲート状シートは、平板状金属箔をコルゲート加工してなるものであり、金属箔の面内の一方向に波が進行するように凹凸が形成されたものである。ここでコルゲート加工とは、平板状物を波形状物に加工することを意味する。
【００２５】
上記無機繊維基材をコルゲート状シートに成形する方法としては、径方向に振幅する波形の凹凸が表面に形成された複数の歯車間に平板状シートを通すような公知のコルゲーターを用いる方法が挙げられる。得られたコルゲート状シートから上記金属製斜行ハニカムを成形する方法としては、例えば、まず、上記コルゲート状シートを縦１００ｍｍ（成形後の厚み寸法）×横３０００ｍｍ程度の矩形の裁断型に対し、波の伝播方向が矩形型の一辺に対して１５〜４５度になるように配置して裁断して矩形のコルゲート状シートを作製し、次いで、得られた矩形のコルゲート状シートを１枚おきの波の伝播方向が斜交するように配置し、これらを積層する方法が挙げられる。なお、このようにして製造した場合、上記裁断型の長さが金属製斜行ハニカム１枚の厚さとなる。このため、例えば、加湿手段や凝縮手段に必要な金属製斜行ハニカムの厚さ、すなわち、金属製斜行ハニカムの前面開口部と後面開口部との間の寸法を３００ｍｍとする場合には、縦１００ｍｍの裁断型で作製した厚さ１００ｍｍの金属製斜行ハニカムを長さ方向に３枚重ねて使用すればよい。
【００２６】
第１の実施形態では、加湿手段１３及び凝縮手段２３に、前後両面と上下両面とが開口す金属製斜行ハニカム１が、該金属製斜行ハニカム１の前面をそれぞれ第１空気導入口１１側及び第２空気導入口２１側に向けて、且つ、導入された空気が金属製斜行ハニカム１の内部を通過するように配置され、さらに、該金属製斜行ハニカム１の上面にそれぞれ第１水供給手段１２及び第２水供給手段２２が設けられる。第１空気排出口１４と第２空気導入口２１間はダクト等で連結される。
【００２７】
第１水供給手段１２は、加湿部１０に加湿手段１３として配置された金属製斜行ハニカム１の上面開口部１０１に上面から水を供給する手段であり、また、第２水供給手段２２は、凝縮部２０に凝縮手段２３として配置された金属製斜行ハニカム１の上面開口部１０１に上面から水を供給する手段である。該第１水供給手段１２又は第２水供給手段２２としては、例えば、図２に示すような給水ダクト４が挙げられる。加湿部１０に供給された水は、加湿手段１３として配置された金属製斜行ハニカム１を通過した後、第１水排出手段１５から加湿部１０系外に排出され、また、凝縮部２０に供給された水は、凝縮手段２３として配置された金属製斜行ハニカム１を通過した後、第２水排出手段２５から凝縮部２０系外に排出される。
【００２８】
第１の実施形態では、金属製斜行ハニカム１をこのように配置することにより、第１空気導入口１１又は第２空気導入口２１から導入される被処理空気の通気方向と、第１水供給手段１２又は第２水供給手段２２により供給される水３０１又は４０１の流下方向とが、すなわち、被処理空気と水との接触方向が所定の角度で交わるようになる。このため、加湿手段及び凝縮手段とし金属製斜行ハニカムを用いると、被処理空気と水との接触効率が従来の水シャワーを用いた加湿手段や冷却器を用いた凝縮手段に比べて高くなり、被処理空気中に含まれる化学汚染物質を効率よく除去することができ、装置の加湿手段及び凝縮手段の部分の奥行きを大幅に小さくすることができる。
【００２９】
第１の実施形態においては、第１水排出手段１５による水の排出は配管１５ｂを通り、第１循環ポンプ１６により加湿手段１３へ循環供給されるものと、加湿手段循環水溜め部３２の堰部１５ａから放流（ｏｖｅｒ  ｆｌｏｗ）されるものがある。配管１５ｂと第１水供給手段１２とを第１循環ポンプ１６で接続し、加湿部１０中で発生した余剰水３０２を第１水供給手段１２に供給する水３０１として再利用すると、省資源、低コスト、化学汚染物質の除去効率の管理等の点から好ましい。また、加湿手段循環水溜め部３２の容量を適宜に設定し、連続又は間欠的に水３０２を系外へ放流し、且つ、清浄な補給水を加えて希釈したりすることにより、加湿手段１３に供給される循環水中の汚染物質の濃度を所定値以下に制御することができる。第２水排出手段２５による水の排出は配管２５ｂを通り、第２循環ポンプ２６により凝縮手段２３へ循環供給されるものと、凝縮手段循環水溜め部３３の堰部２５ａから放流（ｏｖｅｒ  ｆｌｏｗ）されるものがある点は、前記加湿部と同様である。すなわち、凝縮部２０においても、配管２５ｂと第２水供給手段２２とを第２循環ポンプ２６で接続し、凝縮部２０中で発生した凝縮水４０２を第２水供給手段２２に供給する水４０１として再利用することが好ましく、凝縮手段循環水溜め部３３の水４０１を放流したり、清浄水を補給したりする点は、前記と同様である。なお、加湿部１０や凝縮部２０に供給された水は循環使用することなく、１パスで放流する使用形態であってもよい。
【００３０】
加湿部１０と凝縮部２０とは、これらの間の被処理空気の導通が可能な範囲内で適宜仕切り５０を設けること等により、加湿部１０と凝縮部２０のそれぞれに循環する水が混合せずに、独立した系のものとすることが好ましい。このように水系を独立したものとすることにより、例えば、加湿部１０と凝縮部２０のそれぞれに同質の水を供給した場合でも排水中の化学汚染物質の汚染の度合いが異なることがあるから、汚染の度合いの高い系の水が他の系の水を汚染することがないため好ましい。また、このように水系を独立したものとすることにより、加湿部１０と凝縮部２０とに供給する水として異質のものを用いても、排水を循環利用することが可能になるため好ましい。
【００３１】
加湿部１０に第１水供給手段１２により供給される水３０１としては、例えば、脱イオン水、市水、工業用水等が挙げられる。このうち、化学汚染物質の除去効率の点からは不純物をなるべく含まない水である脱イオン水が好ましく、また、コストの点からは市水や工業用水が好ましい。なお、第１の実施形態では加湿部１０で処理された空気が凝縮部２０でも処理されるため、コストの点から第１水供給手段１２に供給される水３０１を市水又は工業用水とすることが好ましい。凝縮部２０に第２水供給手段２２により供給される水４０１としては、化学汚染物質を十分に除去する必要があるため、不純物をなるべく含まない水、例えば、脱イオン水が挙げられる。脱イオン水は特に制限されず、市水又は工業用水を前処理した後、イオン交換樹脂で処理した処理水を用いることができる。
【００３２】
すなわち、第１水供給手段１２及び第２水供給手段２２が脱イオン水供給手段であると、化学汚染物質の除去効率の点から好ましい。また、第１水供給手段１２が市水供給手段又は工業用水供給手段であり、前記第２水供給手段２２が脱イオン水供給手段であると、コストの点から好ましい。第１水供給手段１２又は第２水供給手段２２に供給される水３０１，４０１の温度や水の供給量は、被処理空気の通気量等に鑑みつつ、加湿部１０及び凝縮部２０における温度、湿度が所望のものとなるよう適宜設定する。ただし、絶対湿度は、加湿部１０内の方が凝縮部２０よりも常に高いものとなるため、第１水供給手段１２に供給される水３０１の水温は、第２水供給手段２２に供給される水４０１よりも高くなる。
【００３３】
第１の実施形態では、図１に示すように、必要により上記第２空気排出口２４の後にさらに温度及び湿度の調整手段３０やＵＬＰＡフィルター５を備えることができる。このように温度及び湿度の調整手段３０を設け、該手段３０で処理された空気の排出部をクリーンルーム等に接続することにより、例えば、クリーンルームに必要とされる温度、湿度とすることできる。該温度及び湿度の調整手段３０としては、例えば、ヒータや温水等が挙げられる。ヒータを用いる場合は、空気の温度を上げるため処理により相対湿度は低下する。また、温水を用いる場合は、温水を処理後空気に間接的又は直接的に接触させればよい。例えば、温水を間接的に接触させるには、熱交換器６０等に温水を供給すればよい。温水を間接的に接触させる場合は、処理後の空気の相対湿度は低下するが、直接的に接触させる場合は条件の設定いかんで、処理後の空気の相対湿度は低下の、上昇のいずれにもすることができる。
【００３４】
次に、第１の実施形態における作用を説明する。まず、被処理空気は、ダクトを通してブロアー５等により加湿部１０に導入される。加湿部１０では、被処理空気は加湿手段１３である金属製斜行ハニカム１の上部から水３０１が供給され、金属製斜行ハニカム１をゆっくりと流下してセル全体が水膜壁構造になっているセルの表面と接触して、所定の温度に加温される。この際、被処理空気は表面から蒸発する水分により加湿されると共に、一方では被処理空気中の化学汚染物質の一部が水膜の水中に吸収される。この際、被処理空気から化学汚染物質がある程度除去される。浸透水は金属製斜行ハニカム１から流下したところで余剰水３０２となり、第１水排出手段１５により加湿部１０の系内から排出される。
【００３５】
加湿部１０を経て加湿された被処理空気は凝縮部２０に導入される。凝縮部２０では、被処理空気は第２水供給手段２２により供給され、且つ、熱交換器６０等により加湿部１０内よりも低温にされた水からなると共に、金属製斜行ハニカム１のセルの表面に形成された水膜により冷却される。この際に空気中の水分が凝縮し、空気中に加湿部１０内で除去されずに残存する化学汚染物質が、略凝縮水４０２に取り込まれて供給水と共に回収され、この結果、被処理空気中から化学汚染物質が略除去される。上記の加湿部１０内における水の温度、及び凝縮部２０内における水の温度は、前者が後者よりも高いものであればよく、所望の湿度又は温度の空気が得られるように、適宜調整すればよい。凝縮部２０による凝縮工程終了後は、そのまま又は温度及び湿度の調整手段３０で適宜湿度や温度を調整してクリーンルーム等に用いられる清浄空気として使用される。
【００３６】
なお、クリーンルーム内は、通常、温度が２３℃前後、相対湿度が４０〜５０％軽度に調節されるため、クリーンルーム用の清浄空気を調製する場合、加湿工程及び凝縮工程の条件は、上記凝縮工程後に得られる清浄空気は２３℃前後に適宜加熱された際に、上記範囲内の相対湿度になるように設定される。このようにして得られた２３℃前後、且つ、相対湿度が４０〜５０％程度の清浄空気クリーンルーム用空気として用いられる。
【００３７】
本発明の第１の実施形態によれば、金属製斜行ハニカムを構成する波形状の金属板表面を流下する水で加湿又は凝縮するために、循環使用等により化学汚染物質を含むようになった循環水を用いる場合でも、該循環水から化学汚染物質が再気散することがほとんどない。すなわち、従来の方法では、汚染物質を含む水をシャワー状で噴霧するため、ミストが空気に取り込まれて化学汚染物質の再飛散を引き起こしていた。これに対して、本発明の方法では、表面積の大きなハニカム表面の水のみが蒸発し、一度水に取り込まれた化学汚染物質は、水側に残るので、汚染物質の再飛散は起こりにくいと考えられる。このため、金属製斜行ハニカムを加湿手段に用いる場合には、上記のように脱イオン水のみならず市水や工業用水を用いることができる。また、化学汚染物質の除去効率が高いため、従来公知の水シャワー等では１〜２程度必要であった液ガス比を０．１程度することができる。また、加湿手段や凝縮手段に供給される水を循環使用する場合に使用する水量が少なくて済み、この結果、ポンプ容量等が小さくて済む。第１の実施形態は、第２の実施形態又は第３の実施形態のいずれよりも化学汚染物質の除去効率や省スペース性に優れ、最も好ましい形態である。
【００３８】
第２の実施形態について説明する。第２の実施形態は、第１の実施形態において金属製斜行ハニカムを加湿手段のみに用いるものであり、凝縮手段として特に限定しないものである。該金属製斜行ハニカムを用いると水と被処理空気との接触効率が高く、空気中の化学汚染物質の除去効率が高いため、凝縮手段として通常の冷却器等を用いたとしても、従来よりも化学汚染物質の除去効率が高いと共に、加湿手段の分だけスペース効率を向上させることができる。従来の水シャワーに比べ、金属製斜行ハニカムの厚さは１００〜４００ｍｍ程度で済むため、加湿部の厚さを従来の数分の１〜数十分の１程度にすることができる。
【００３９】
第２の実施形態においては、第１の実施形態の加湿部１０と同様に、第１水排出手段１５と第１水供給手段１２とを第１循環ポンプ１６で接続し、第１水排出手段１５からの排水を第１水供給手段１２に供給する水として再利用すると、第１の実施形態の加湿部１０と同様の点から好ましい。また、第１の実施形態の加湿部１０と同様の点から、加湿部１０と凝縮部２０とは、これらの間の被処理空気の導通が可能な範囲内で適宜仕切りを設けることが好ましい。
【００４０】
さらに、第１の実施形態の加湿部１０と同様の点から、加湿部１０に第１水供給手段１２により供給される水としては、例えば、脱イオン水、市水、工業用水等が挙げられる。このうち、第１の実施形態の加湿部１０と同様の点から、脱イオン水、市水や工業用水がそれぞれ好ましい。なお、第２の実施形態で化学汚染物質の除去効率をなるべく高くするためには、脱イオン水を用いることが好ましい。すなわち、第２の実施形態においては、第１水供給手段１２が脱イオン水供給手段であると、化学汚染物質の除去効率の点から好ましい。また、第２の実施形態においては、第１の実施形態と同様に、必要により第２空気排出口２５の後にさらに温度及び湿度の調整手段３０を備えることができる。凝縮手段を設けない場合は、第１空気排出口１４の後に、温度及び湿度の調整手段３０を設けてもよい。第２の実施形態は、従来公知の水シャワー等を用いる加湿手段に比べて、第１の実施形態において、加湿手段に金属製斜行ハニカムを用いた効果と同様の効果を奏することができる。本例は、冬場の乾燥空気を被処理空気とする場合に好適である。
【００４１】
第３の実施形態について説明する。第３の実施形態は、第１の実施形態において金属製斜行ハニカムを凝縮手段のみに用いるものであり、加湿手段として特に限定しないものである。該金属製斜行ハニカムを用いると水と被処理空気との接触効率が高く、空気中の化学汚染物質の除去効率が高いため、加湿手段として通常の水シャワー等を用いたとしても、従来よりも化学汚染物質の除去効率が高いと共に、凝縮手段の分だけスペース効率を向上させることができる。従来の熱交換器等の冷却機に比べ、金属製斜行ハニカムの厚さは１００〜４００ｍｍ程度で済むため、凝縮部の厚さを従来の数分の１〜数十分の１程度にすることができる。
【００４２】
第３の実施形態では、第１の実施形態の凝縮部２０と同様に、第２水排出手段２５と第２水供給手段２２とを第２循環ポンプ２６で接続し、第２水排出手段２５からの排水を第２水供給手段２２に供給する水として再利用すると、第１の実施形態の凝縮部２０と同様の点から好ましい。また、第１の実施形態の凝縮部２０と同様の点から、加湿部１０と凝縮部２０とは、これらの間の被処理空気の導通が可能な範囲内で適宜仕切りを設けることが好ましい。
【００４３】
また、第１の実施形態の凝縮部２０と同様の点から、凝縮部２０に第２水供給手段２２により供給される水としては、化学汚染物質を十分に除去する必要があるため、不純物をなるべく含まない水、例えば、脱イオン水が挙げられる。すなわち、第３の実施形態においては、第２水供給手段が脱イオン水供給手段であると、化学汚染物質の除去効率の点から好ましい。
【００４４】
第３の実施形態においては、凝縮手段として金属製斜行ハニカムを用いる凝縮部での化学汚染物質の除去効率が高いため、被処理空気の絶対湿度が高い場合や被処理空気中の化学汚染物質の濃度が低い場合、さらに、処理後空気の化学汚染物質の許容濃度が高い場合には、特に加湿手段を設けなくてもよい。特に梅雨時から夏場にかけては空気が高温高湿であり、そのまま被処理空気として供給できるため、本実施の形態は特に有効である。この場合は低コスト化や省スペース性の点から好ましいものとなる。また、第３の実施形態においては、第１の実施形態と同様に、必要により第２空気排出口２４の後にさらに温度及び湿度の調整手段３０を備えることができる。このため、第３の実施形態は、従来公知の冷却器等を用いる凝縮手段に比べて、第１の実施形態において凝縮手段に金属製斜行ハニカムを用いた効果と同様の効果を奏することができる。
【００４５】
第４の実施の形態においては、前記第１空気排出口１４と前記第２空気導入口２１とは一体的に連接され、前記加湿及び前記凝縮を共に１台の金属製斜行ハニカム１で順次行うものである。すなわち、被処理空気は、給水ダクト４を通してブロアー５等により金属製斜行ハニカム１の前面の第１空気導入口１１に供給される。該金属製斜行ハニカム１の前段側は加湿領域となり、被処理空気は所定の湿度まで加湿され、該金属製斜行ハニカム１内で飽和状態まで除湿されることとなる。このため、前記加湿ゾーンで該空気中の化学汚染物質の一部が過剰な水分に取り込まれると共に、前記除湿ゾーンにより、前記加湿ゾーンで除去されずに残存する化学汚染物質が凝縮水に取り込まれて除去される。
【００４６】
第４の実施形態では、一つの水排出手段と一つの水供給手段とを循環ポンプで接続し、水排出手段からの排水を水供給手段に供給する水として再利用すると、第１の実施形態の凝縮部２０などと同様の点から好ましい。また、加湿ゾーンや凝縮ゾーンに供給手段により供給される水としては、化学汚染物質を十分に除去する必要があるため、不純物をなるべく含まない水、例えば、脱イオン水が挙げられる。すなわち、第４の実施形態においては、水供給手段が脱イオン水供給手段であると、化学汚染物質の除去効率の点から好ましい。
【００４７】
上記本発明に係る空気清浄装置は、例えば、半導体や液晶デバイスの製造工場、製薬工場やライフサイエンス関連設備等のクリーンルームに供給する空気の空気清浄装置として用いることができる。また、特に、半導体や液晶デバイスの製造工場において、当該装置に使用される金属製斜行ハニカムの大きさは、例えば、縦１０００〜５０００ｍｍ、横１０００〜５０００ｍｍ、厚さ１００〜４００ｍｍのものが使用できる。
【００４８】
【実施例】
次に、実施例を挙げて本発明をさらに具体的に説明するが、本発明はこれに限定されるものではない。
【００４９】
（実施例１〜１０、比較例１〜３）
表１〜３に示す仕様の加湿手段及び凝縮手段を有する空気清浄装置を作製し、これらをそれぞれ表４〜６に示す条件で処理した結果、それぞれ表７〜９に示す結果が得られた。また、得られた清浄空気を表１０〜１２に示す条件で加熱してクリーンルーム用の清浄空気を得た。結果を表１０〜１２に示す。なお、実施例５〜９は、加湿ゾーンを設けずに被処理空気を直接に凝縮ゾーンに供給するものである。また、金属製斜行ハニカムは、表１〜３に記載のＳＵＳ製コルゲート状のシートが、１層おきに交差し、且つ、セルの斜め角度が空気の流入方向に対して３０度であるものを用いた。また、加湿手段で用いられる水と凝縮手段で用いられる水とはそれぞれ独立した系とし、実施例４と比較例２については、それぞれの水は循環使用し、実施例１〜３，５〜１０及び比較例１，３については１パスとした。また、補給水は、循環水中の汚染物質が所定濃度以下になるように供給した。例えば、循環水中のアンモニアイオン濃度は、実施例３では１００ｐｐｂ、実施例４では５００ｐｐｂである。水中のアンモニアイオン濃度が５００ｐｐｂを越えると、従来の水シャワーではアンモニアの気散が起こり、その吸収除去率は著しく低下する（比較例２）。「エアオッシャー」は水シャワーのことである。
【００５０】
【表１】
0003750800.tif 000002
【００５１】
【表２】
0003750800.tif 000003
【００５２】
【表３】
0003750800.tif 000004
【００５３】
【表４】
0003750800.tif 000005
【００５４】
【表５】
0003750800.tif 000006
【００５５】
【表６】
0003750800.tif 000007
【００５６】
【表７】
0003750800.tif 000008
【００５７】
【表８】
0003750800.tif 000009
【００５８】
【表９】
0003750800.tif 000010
【００５９】
【表１０】
0003750800.tif 000011
【００６０】
【表１１】
0003750800.tif 000012
【００６１】
【表１２】
0003750800.tif 000013
【００６２】
【発明の効果】
本発明に係る空気清浄装置は、以下のような効果を奏する。
（１）ガス状化学汚染物質の除去効率が高い。
（２）安価な金属製斜行ハニカムの使用により、空気清浄装置全体がコンパクトになるため、省資源であると共に、処理コストを大幅に低減できる。
（３）使用する脱イオン水の量が少なくて済むため、脱イオン水の製造コストやポンプ搬送能力を削減できる。
（４）処理する空気が空気清浄装置を通過する際の圧力損失が小さいため、送風動力を低減できる。
（５）金属製斜行ハニカムを構成する波形状の金属板の上を流下する水と被処理空気とを接触させるため、表面積の大きなハニカム表面の水だけが蒸発し、一度水に取り込まれてしまった化学汚染物質は水側に残るので、化学汚染物質の再飛散は起こり難い。このため、被処理空気を再汚染する恐れが少ない。
（６）金属製斜行ハニカムが金属製であるため壁の強度を強くできるので、該斜行ハニカムの壁を薄くできる。
（７）金属製斜行ハニカムの壁を薄くできるので、圧力損失を小さくできる。
（８）耐水性や流水による耐磨耗性を含めた耐久性に優れる。
（９）空気と水の接触を金属製斜行ハニカムを介して行うため、使用する金属板からのパーティクルが空気に混入することがないので、クリーンルームへ送る空気の清浄化に好適である。
（１０）空気と水の接触を金属製斜行ハニカムを介して行うため、使用する金属板からのアウトガスが空気に混入することがないので、クリーンルームへ送る空気の清浄化に好適である。
（１１）空気と水の接触を金属製斜行ハニカムを介して行うため、かび、藻類の発生がない。
【図面の簡単な説明】
【図１】本発明の第１の実施形態に係る空気清浄装置の概要を模式的に示す図である。
【図２】本発明の空気清浄装置で使用する金属製斜行ハニカムを説明する図である。
【符号の説明】
１  金属製斜行ハニカム    １０  加湿部
１１  第１空気導入口        １２  第１水供給手段
１３  加湿手段              １４  第１空気排出口
２０  凝縮部                ２１  第２空気導入口
２２  第２水供給手段        ２３  凝縮手段
４０  空気清浄装置
【図１】
0003750800.tif 000014
【図２】
0003750800.tif 000015